(57)【要約】【課題】フィルターの表面および深部に付着或いは固着した塵埃を確実に落とすこと。【解決手段】集塵容器４は、連通口１２より吸引された塵埃を蓄積する蓄積部４ａおよび、蓄積された塵埃を廃棄する開口４ｃと、該開口４ｃを開閉可能に閉塞するとともに蓄積部４ａに吸引される空気に含まれる塵埃を濾過するフィルター１７を一体的に配設した蓋体部４ｂとを有し、連通口１２と電動送風機の吸気口とが蓄積部４ａおよび蓋体部４ｂを介して連通される電気掃除機において、蓋体部４ａにフィルター１７の表面に沿って摺動自在およびフィルター１７面に対して垂直方向に揺動自在な除塵体２４を設けたことにより、フィルターを摺動させて弾き揺さぶる振動および、フィルター面に対して垂直方向に揺動させて叩く振動をフィルターに付与することとなり、フィルターの表面に付着した塵埃の除塵は勿論のこと、深部に付着した塵埃をも確実に除塵することができる。【選択図】図４
2008000391.tif 000002
【特許請求の範囲】
【請求項１】
塵埃を吸引するための電動送風機を内蔵する掃除機本体と、前記電動送風機の上流側に着脱自在に装着され塵埃を含んだ空気を吸引する連通口を有する集塵容器とを備え、前記集塵容器は、前記連通口より吸引された塵埃を蓄積する蓄積部および、蓄積された塵埃を廃棄する開口と、該開口を開閉可能に閉塞するとともに前記蓄積部に吸引される空気に含まれる塵埃を濾過するフィルターを一体的に配設した蓋体部とを有し、前記連通口と前記電動送風機の吸気口とが前記蓄積部および前記蓋体部を介して連通される電気掃除機において、前記蓋体部にフィルターの表面に沿って摺動自在および前記フィルター面に対して垂直方向に揺動自在な除塵体を設けたことを特徴とする電気掃除機。
【請求項２】
フィルターは山部と谷部とが交互に形成されたプリーツフィルターであり、前記プリーツフィルターには、山部を補強する補強部を有するとともに突出部を一体的に山部に対し直交する方向に設け、除塵体は前記突出部上を摺動自在で且つ、前記プリーツフィルター面に対し垂直方向に揺動自在に設けた請求項１に記載の電気掃除機。
【請求項３】
除塵体をプリーツフィルターの山部の補強部より硬い材料で形成した請求項２に記載の電気掃除機。
【発明の詳細な説明】
【技術分野】
【０００１】
本発明は、掃除機本体に着脱自在に装着される集塵容器内に塵埃を濾過するフィルターを備えた電気掃除機に関するものである。
【背景技術】
【０００２】
従来、この種の電気掃除機は集塵ケースを掃除機本体に着脱自在に装着できるようにしている（例えば、特許文献１参照）。
【０００３】
かかる電気掃除機は、塵埃を吸引する電動送風機を有する掃除機本体と、電動送風機の上流側に着脱自在に位置するとともに塵埃を含んだ空気を吸引する吸引口を有する集塵ケースとを備え、この集塵ケースは、吸引口から吸引された空気から塵埃を分離する塵埃分離手段と、この塵埃分離手段によって分離された塵埃を集塵する集塵室部と、塵埃分離手段に対して下流側に着脱自在に装着されるプリーツフィルターとを有し、電動送風機の吸気口と集塵ケースの集塵室部とが塵埃分離手段およびプリーツフィルターを介して連通され、プリーツフィルターの上流側の表面に沿って移動するブラシとから構成されている。
【特許文献１】特開２００５−２６１５１８号公報
【発明の開示】
【発明が解決しようとする課題】
【０００４】
しかしながら、前記従来の構成では、微細な塵埃が塵埃分離手段を通過すると、その塵埃がプリーツフィルターの表面（フィルターの山、谷部）に付着し、プリーツフィルターが目詰まりを起して吸引力の低下を招来することになる。そこで、プリーツフィルターの上流側の表面に沿って移動するブラシによりフィルター表面に付着した塵埃を除塵すものであるが、ブラシの場合、山部およびその近傍表面の付着塵埃は落とせても谷部の深部に付着或いは、固着した塵埃までは除塵できないという課題を有していた。
【０００５】
また、ブラシをプリーツフィルターの表面に沿って移動させた際に、山部近傍の表面に付着した塵埃を谷部の深部に誘導し逆に目詰まりを助長するという課題をも有するものであった。
【０００６】
本発明は、前記従来の課題を解決するもので、フィルターの表面および深部に付着或いは固着した塵埃を確実に落とすことができる電気掃除機を提供することを目的とする。
【課題を解決するための手段】
【０００７】
前記従来の課題を解決するために、本発明の電気掃除機は、塵埃を吸引するための電動送風機を内蔵する掃除機本体と、前記電動送風機の上流側に着脱自在に装着され塵埃を含んだ空気を吸引する連通口を有する集塵容器とを備え、前記集塵容器は、前記連通口より吸引された塵埃を蓄積する蓄積部および、蓄積された塵埃を廃棄する開口と、該開口を開閉可能に閉塞するとともに前記蓄積部に吸引される空気に含まれる塵埃を濾過するフィルターを一体的に配設した蓋体部とを有し、前記連通口と前記電動送風機の吸気口とが前記蓄積部および前記蓋体部を介して連通される電気掃除機において、前記蓋体部にフィルターの表面に沿って摺動自在および前記フィルター面に対して垂直方向に揺動自在な除塵体を配設したものである。
【０００８】
これによって、フィルターを摺動させて揺さぶる振動および、フィルター面に対して垂直方向に揺動させて叩く振動をフィルターに付与することができ、フィルターの表面に付着した塵埃の除塵は勿論のこと、深部に付着した塵埃をも確実に除塵できるものとなる。
【発明の効果】
【０００９】
本発明の電気掃除機は、フィルターの表面および深部に付着或いは固着した塵埃を確実に落とすことができる。
【発明を実施するための最良の形態】
【００１０】
第１の発明は、塵埃を吸引するための電動送風機を内蔵する掃除機本体と、前記電動送風機の上流側に着脱自在に装着され塵埃を含んだ空気を吸引する連通口を有する集塵容器とを備え、前記集塵容器は、前記連通口より吸引された塵埃を蓄積する蓄積部および、蓄積された塵埃を廃棄する開口と、該開口を開閉可能に閉塞するとともに前記蓄積部に吸引される空気に含まれる塵埃を濾過するフィルターを一体的に配設した蓋体部とを有し、前記連通口と前記電動送風機の吸気口とが前記蓄積部および前記蓋体部を介して連通される電気掃除機において、前記蓋体部にフィルターの表面に沿って摺動自在および前記フィルター面に対して垂直方向に揺動自在な除塵体を設けたことにより、フィルターを摺動させて弾き揺さぶる振動および、フィルター面に対して垂直方向に揺動させて叩く振動をフィルターに付与することとなり、フィルターの表面に付着した塵埃の除塵は勿論のこと、深部に付着した塵埃をも確実に除塵することができる。
【００１１】
第２の発明は、フィルターは山部と谷部とが交互に形成されたプリーツフィルターであり、前記プリーツフィルターには、山部を補強する補強部を有するとともに突出部を一体的に山部に対し直交する方向に設け、除塵体は前記突出部上を摺動自在で且つ、前記プリーツフィルター面に対し垂直方向に揺動自在に設けたことにより、プリーツフィルターの山部に対して直交方向に摺動させて山部を弾き揺さぶる振動および、フィルター面に対して垂直方向に揺動させて谷部（深部）を叩く振動をフィルターに付与することとなり、フィルターの表面に付着した塵埃の除塵は勿論のこと、谷部の深部に付着或いは、固着した塵埃をも確実に除塵することができる。
【００１２】
第３の発明は、除塵体をプリーツフィルターの山部の補強部より硬い材料で形成することにより、除塵体の摺動による揺さぶりおよび、揺動による叩きの振動がより強くフィルターに伝達されることとなり、より一層の除塵効果を向上することができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における電気掃除機の縦断面図を示すものである。
【００１５】
図１において、電気掃除機本体１（以下、本体１と称す）は本体ケース２で囲われ、本体１には、前方にホースを差し込むための吸込口３が設けられ、この吸込口３の後方に、集塵容器４が着脱自在に収納される集塵容器収納部５が形成され、さらに、この集塵容器収納部５の後方に電動送風機６が内蔵される電動送風機室７が設けられている。吸込口３には、ホース挿入部８が設けられ、また、集塵容器収納部５とのシールをするためのシール手段であるパッキンインレット９が設けられている。集塵容器収納部５は、上面が開口しておりこの開口は本体ケース２に一端を回動自在に支持された外蓋１０により開閉される。また、開口の周縁部には、外蓋１０を閉じた時、開口をシールするパッキン１１が設けられている。
【００１６】
集塵容器収納部５に収納される集塵容器４は、ＡＢＳ樹脂等の透明樹脂で形成されており、前側に吸込口３と連通するための連通口１２が設けてあり、この連通口１２には逆止弁１３が配設され、この逆止弁１３はパッキンインレット９に一側が接合している。逆止弁１３の上方の穴部１４には、集塵容器４を集塵容器収納部５に収納する時、本体１から突出する位置決めリブ１５が挿入され、この穴部１４に位置決めリブ１５を挿入することにより集塵容器４を所定の位置に収納できる。
【００１７】
また、集塵容器４は、図２に示すように、吸込口３と連通する連通口１２および連通口１２の反対側には蓄積された塵埃を廃棄するための廃棄用開口４ｃを形成するとともに吸引された塵埃を蓄積する蓄積部４ａと後側の蓋体部４ｂから構成されている。
【００１８】
蓋体部４ｂは、枠体１６と一体成形されたフィルター１７から形成される。枠体１６の廃棄用開口４ｃ側には全周にシール手段であるシールパッキン１８が設けられ、蓋体部４ｂを閉じたとき、蓄積部４ａと気密にタイトされる。蓋体部４ｂは、枠体１６の下側に配設された２箇所のヒンジ部１９、１９により蓄積部４ａに開閉可能に取り付けられ、蓄積部４ａの上方に設けた係止部２０と蓋体部４ｂに設けた被係止部２１によりロック可能に閉塞できるよう構成されている。
【００１９】
フィルター１７は、直線状に延びる山部と谷部とが交互に形成されるようプリーツ加工（断面波形状に加工）された細塵用フィルターであり、プリーツ加工された断面波形状の山部と谷部の折り目の方向はフィルター全体で集塵容器４を本体１の集塵容器収納部５に載置した状態で上下方向になるように形成されている。
【００２０】
図３は除塵体の取り付けの構成を示す図であり、図４は集塵容器の縦断面を示す図である。図３および図４において、フィルター１７の山部にはその山部を補強する補強部２２がフィルター１７に一体的に形成され、かつ補強部２２には山部に対し直交する方向に後述の除塵体２４が摺動自在に移動できるように突出部２３が一体的に設けられている。除塵体２４はその下方をカバー部材２５で移動自在に挟持されるとともに上方を突出部２３に嵌合可能な凹溝部２６が嵌合されることによって固定されており、カバー部材２５は枠体１６にビスまたは爪嵌合によって取り付けられている。
【００２１】
除塵体２４は、本体部２７、基部２８、およびフィルター１７の補強部２２と接触する接触部２９とから構成されている。本体部２７はゴムなどの可撓性で屈曲性のある材質からなっており、基部２８および接触部２９は樹脂等で形成され、基部２８および接触部２９は凹凸の嵌め込み、接着、ビスで固定、およびこれらの組み合わせによって本体部２７に固定されている。また、図５に示すように、基部２８と本体部２７に関しては互いにヒンジ部で組み合わされ、ヒンジ部の間にフィルター１７面に対して垂直方向に揺動可能なようにバネ３０にてフィルター１７面側に付勢するよう設けて構成してもよい。
【００２２】
フィルター１７の前側には、カバー体３１と一体的に形成された、材質がナイロン又はポリエステルのネット状の粗塵用プレフィルター３２が設置される。また、集塵容器４の蓋体部４ｂの後側、即ち、枠体１６の開口周辺部と電動送風機室７に通じる集塵容器収納部５の後壁との結合部に、シール手段であるシールパッキン３３が設けられ、集塵容器４が集塵容器収納部５に収納されたとき、蓋体部４ｂの後側の周辺部と集塵容器収納部５の後壁とをシールする。このシールパッキン３３は枠体１６に一体に形成される。このように構成された集塵容器４は、集塵容器収納部５に収納されたとき、各シール手段により、吸入口３と逆止弁１３との接合部、蓄積部４ａと蓋体部４ｂとの接合部及び蓋体部４ｂの後部の開口周辺部と集塵容器収納部５の後壁との接合部をシールすることにより、吸込口２から電動送風機６の吸込口とが気密に連通される。
【００２３】
以上のように構成された電気掃除機について、以下その動作、作用を説明する。
【００２４】
電動送風機６の駆動により吸引が開始されると、床用吸込具（図示せず）より被掃除面上の塵埃が吸引される。吸引された空気に含まれる塵埃は、集塵容器４の連通口１２を通過し直線的に勢いよくネット状のプレフィルター３２にぶつかる。このとき、粗塵はプレフィルター３２でろ過され、細塵は空気とともにプレフィルター３２を通過して次のメインフィルターであるフィルター１７にぶつかる。フィルター１７は圧損が大きく、簡単には通過できず、ぶつかった細塵と空気は、プリーツ加工されたフィルター１７の直線状の山部および谷部に沿って勢いよく上下方向に向きを変えて進行する。しかし、蓄積部４ａと蓋体部４ｂとの結合部は、シールパッキン１８により気密にタイトされているので、集塵容器４の外部に細かい塵埃は排出されることがなく、集塵容器収納部５を汚すことはない。
【００２５】
吸引が継続すると蓄積部４ａには粗塵が堆積していくとともにプレフィルター３２を通過した細塵が蓋体部４ｂのフィルター１７の山部および谷部に付着し、フィルター１７が目詰まりし、吸引力の低下を招くこととなる。特に、セメントや粉等の粉塵を吸引した場合には、フィルター１７の目詰まりが顕著に発生する。
【００２６】
そこで、フィルター１７の山部および谷部に張り付いた塵埃を、除塵体２４を突出部２３に沿って摺動させることで除塵体２４の接触部２９とフィルター１７に設けた補強部２２とが接触しフィルター１７の山部が弾き揺さぶられるように振動してフィルター１７の表面に付着した全体的な細塵を除塵することができる。また、谷部（深部）に付着した細塵は、除塵体２４をフィルター１７面に対して垂直方向に撓ませてフィルター１７の補強部２２を接触部２９で叩く振動を付与することで除塵することができる。
【００２７】
また、除塵体２４の接触部２９はフィルター１７の補強部２２より硬い材料で形成しているため、フィルター１７面に対して垂直方向に撓ませて叩いたときの谷部および表面からの塵離れ性をより向上することができる。
【００２８】
なお、摺動振動および揺動振動はフィルター１７に付着した塵埃の種類や付着量に応じてどちらの振動でもよく、両方振動させることによる除塵動作がより効果が大きいことは言うまでもない。
【００２９】
以上のように、本実施の形態においては、除塵体２４を突出部２３上を摺動自在で且つ、フィルター１７面に対し垂直方向に揺動自在に設けたことにより、フィルター１７の山部に対して直交方向に摺動させて山部を弾き揺さぶる振動および、フィルター１７面に対して垂直方向に揺動させて谷部（深部）を叩く振動をフィルター１７に付与することとなり、フィルター１７の表面に付着した塵埃の除塵は勿論のこと、谷部の深部に付着或いは、固着した塵埃をも確実に除塵することができる。
【００３０】
また、除塵体２４の接触部２９をフィルター１７の山部の補強部２２より硬い材料で形成することにより、除塵体２４の摺動による揺さぶりおよび、揺動による叩きの振動がより強くフィルター１７に伝達されることとなり、より一層の除塵効果を向上することができる。
【産業上の利用可能性】
【００３１】
以上のように、本発明にかかる電気掃除機は、フィルターの表面および深部に付着或いは固着した塵埃を確実に落とすことが可能となるので、特に家庭、業務用等の電気掃除機に有用である。
【図面の簡単な説明】
【００３２】
【図１】本発明の実施の形態１における電気掃除機の縦断面図
【図２】同集塵容器の構成を示す斜視図
【図３】同除塵体の取り付けの構成を示す図
【図４】同集塵容器の縦断面図
【図５】同除塵体の揺動動作を示す図
【符号の説明】
【００３３】
１  電気掃除機本体
４  集塵容器
４ａ  蓄積部
４ｂ  蓋体部
４ｃ  廃棄用開口
１６  枠体
１７  フィルター
２２  補強部
２３  突出部
２４  除塵体
２９  接触部
【図１】
2008000391.tif 000003
【図２】
2008000391.tif 000004
【図３】
2008000391.tif 000005
【図４】
2008000391.tif 000006
【図５】
2008000391.tif 000007